(57)【要約】【課題】構造が簡単で、安価に提供できる植物定植パネルの害虫駆除用浮沈装置を得ることを課題とする。【解決手段】植物定植パネルを備えた培養液入り水耕栽培槽において、上記植物定植パネルの適所に、流体収納室を有すると共に該流体収納室内に培養液を給排すべき給排口及び空気を給排すべき給排口を有する複数の重錘枠材を取りつけ、さらに上記収納室内に空気を供給する手段を装備し、上記複数の重錘枠材の総重量が、上記流体収納室内に培養液が充填された時上記植物定植パネルを培養液中に沈下させることができ、又上記流体収納室内に培養液に代え空気が充填された時上記植物定植パネルを培養液面に浮上させることができる重量としてある、植物定植パネルの害虫駆除用浮沈装置。【選択図】        図１
2004305065.tif 000002
【特許請求の範囲】
【請求項１】
植物定植パネルを備えた培養液入り水耕栽培槽において、
上記植物定植パネルの適所に、流体収納室を有すると共に該流体収納室内に培養液を給排すべき給排口及び空気を給排すべき給排口を有する複数の重錘枠材を取りつけ、さらに上記収納室内に空気を供給する手段を装備し、
上記複数の重錘枠材の総重量が、上記流体収納室内に培養液が充填された時上記植物定植パネルを培養液中に沈下させることができ、又上記流体収納室内に培養液に代え空気が充填された時上記植物定植パネルを培養液面に浮上させることができる重量としてある、
植物定植パネルの害虫駆除用浮沈装置。
【発明の詳細な説明】
【０００１】
【発明の属する技術分野】
本発明は、水耕栽培装置において、培養液面に浮く植物を植えた定植パネル（以下植物定植パネルという）を、該植物に付着した害虫を駆除するため培養液中に浸漬し、ついで元の水耕栽培に戻すべく培養液面上に浮上させる植物定植パネルの害虫駆除用浮沈装置に関する。
【０００２】
【従来の技術】
この種の装置として、本発明者は、さきに、培養液を入れた栽培槽内に、液面に沿って前進し、ついで液中を後退するエンドレスローラチエン又はエンドレスベルトを有するエンドレスコンベアを配設し、そのエンドレスローラチエン又はエンドレスベルトに多数の植物定植パネルを互いに隣接状態で支持させ、使用においては、上記多数の植物定植パネルを液面上に位置させたとき通常の水耕栽培を行い、ついで上記コンベアの駆動により各植物定植パネルを液中に移動させたとき所要時間の害虫駆除用浸漬を行うものを提案した。
【０００３】
しかし、上記の従来装置は、いずれのものも装置が大掛りで高価につく欠点があり、従って一般農家にとっては、これを採用する場合多大の費用を負担しなければならず、その改善が切望されていた。
【０００４】
【発明が解決しようとする課題】
本発明は、構造が簡単で、安価に提供できる植物定植パネルの害虫駆除用浮沈装置を得ることを課題とする。
【０００５】
【課題達成のための手段】
上記課題を達成する手段として、本発明は、
植物定植パネルを備えた培養液入り水耕栽培槽において、
上記植物定植パネルの適所に、流体収納室を有すると共に該流体収納室内に培養液を給排すべき給排口及び空気を給排すべき給排口を有する複数の重錘枠材を取りつけ、さらに上記収納室内に空気を供給する手段を装備し、
上記複数の重錘枠材の総重量が、上記流体収納室内に培養液が充填された時上記植物定植パネルを培養液中に沈下させることができ、又上記流体収納室内に培養液に代え空気が充填された時上記植物定植パネルを培養液面に浮上させることができる重量としてある、
植物定植パネルの害虫駆除用浮沈装置を提案する。
【０００６】
本発明における上記「定植パネル」には、木材、木材チップとガラス繊維の合成樹脂結合材、発泡スチロール等からなる浮上可能のパネル、又はステンレス鋼、ステンレス鋼と合成樹脂の複合材、合成樹脂等からなる沈下可能のパネルが使用される。
【０００７】
また、上記「重錘枠材」には、メッキ鋼溝形材、ステンレス鋼溝形材、ステンレス鋼管、あるいは少量の砂利等の重錘を入れた塩化ビニル等合成樹脂管、その他種々のものが含まれる。
以下図面を参照して本発明の実施例について詳述する。
【０００８】
【実施例】
図１、２において、上面を開放した横長箱形の水耕栽培槽（１）内に培養液（２）を入れ、該栽培槽（１）内に、２本の重錘枠材（４）、（４）を共有する多数枚の植物定植パネル（３）…を浮沈可能に内装してある。
【０００９】
上記重錘枠材（４）、（４）は、上記栽培槽（１）の長辺より若干短い長さの本例ではステンレス鋼溝形材の両端面を閉成して内部を流体収納室（４’）に形成したもので、これら２本の重錘枠材（４）、（４）の両端部を、栽培槽（１）の相対する短辺がわ側壁内側面に垂直に固定された２対の横断面コ字状の案内溝材（５）（５）、（５）（５）に、該枠材（４）、（４）の溝開口を下に向けた状態で、それぞれ上下摺動自在に係合保持させ、これら枠材（４）、（４）上に、本例では木製の浮上可能の矩形板状定植パネル（３）…を、上記枠材（４）、（４）と直交する向きで互いに近接状態に固定してある。
【００１０】
上記定植パネル（３）…には、植物（Ｐ）…の基部を保持させる定植孔（６）…を貫設すると共に、該パネル（３）…の液中での浮沈を容易にするための多数の通液孔（７）…を貫設してある。
【００１１】
上記枠材（４）、（４）の流体収納室（４’）内に培養液を供給する供給口及び溝外へ排出する排出口は、該枠材（４）、（４）の下向きの溝開口（８）、（８）が兼務しており、又上記枠材（４）、（４）の流体収納室（４’）内に培養液に代えて空気を供給する供給口は上記溝開口（８）、（８）であり、収納室（４’）内の空気を室外へ排出する排出口として上記枠材（４）、（４）の上壁に２個づつの通孔（９）（９）、（９）（９）を設け、各通孔（９）…に適宜長の排気管（１０）…を起立すると共に、各排気管（１０）…上端に栓（１０’）…を挿脱自在に差しこんである。
【００１２】
上記枠材（４）、（４）の室（４’）内へ培養液に代えて空気を供給する手段として、本例では上記枠材（４）、（４）の直下における栽培槽（１）内底面に、エアストーン等の気泡発生器（１１）を２個づつ設置し、槽（１）外に設置されたエアポンプからホース（１２）を経て気泡発生器（１１）…に圧送される空気を気泡として培養液中に放散し、それにより液中に酸素を補給しつつ枠材（４）、（４）の流体収納室（４’）、（４’）内に供給する。
【００１３】
上記重錘枠材（４）、（４）の総重量は、上記収納室（４’）、（４’）内に培養液が充填された時上記植物定植パネル（３）…を培養液中に沈下させることができ、又上記収納室（４’）、（４’）内に空気が充填された時上記植物定植パネル（３）…を培養液面に浮上させることができる重量としてある。
【００１４】
なお、上記定植パネル（３）…の液中への沈下時に、植物（Ｐ）…の根を傷めないように、枠材（４）、（４）の最低沈下位置を規正するストッパー（１３）、（１３）が上記案内溝材（５）…下端部に設けてある。
【００１５】
上例の作用を次に説明する。図１、２のように重錘枠材（４）、（４）の収納室（４’）、（４’）内に空気が充填されて植物定植パネル（３）…が液面に浮上している水耕栽培の状態において、植物に付着した害虫を駆除する場合は、排気管（９）…の栓（１０）…を抜くと、重錘枠材（４）、（４）の収納室（４’）、（４’）内の空気が、培養液（２）の圧力を下から受けているので、排気管（９）…を通じて大気中に排出されていき、それに代って培養液（２）が溝開口（８）、（８）から上記収納室（４’）、（４’）内に入る。
【００１６】
収納室（４’）、（４’）内に液が充満すると、重錘枠材（４）、（４）がその重量により植物定植パネル（３）…を伴って培養液（２）中に沈下していく。上記沈下において、各定植パネル（３）…の通液孔（７）…を通じて液が定植パネルの下から上へ流通することにより、各定植パネル（３）…の沈下を容易にする。上記枠材（４）、（４）は、それら両端を案内溝材（５）…に案内されて垂直に沈下し、ストッパー（１３）…に当接する最低沈下位置で所要時間の浸漬を行い、それにより害虫を駆除する。
【００１７】
浸漬時間経過の適宜時間前に、上記排気管（９）…に栓（１０）…を差しこんで閉止し、ついでポンプの駆動により気泡発生器（１１）…からそれぞれ気泡を発生させ、これら気泡を重錘枠材（４）、（４）の収納室（４’）、（４’）内に供給し、それに伴い室（４’）、（４’）内の液を下方へ押し出していく。
【００１８】
上記収納室（４’）、（４’）内に空気が充満すると、該空気の浮力により重錘枠材（４）、（４）が植物定植パネル（３）…を伴って浮上していく。植物定植パネル（３）…が培養液面に浮上した状態で水耕栽培を再開する。
【００１９】
上記作業中、気泡発生器（１１）…から常時気泡を発生させておくのもよい。
【００２０】
図３に示す他の実施例は、防銹メッキを施した鋼管からなる３本の重錘枠材（４ａ）、（４ａ）、（４ａ）を使用し、各枠材（４ａ）…の周壁には、直径方向の相対する位置に、内部の流体収納室（４ａ’）…への液給排口として多数の通孔（８ａ）…、（８ａ）…、（８ａ）…及び空気給排口として２個づつの通孔（９ａ）（９ａ）、（９ａ）（９ａ）、（９ａ）（９ａ）をそれぞれ設けると共に、上記通孔（９ａ）…に接続されたホース（１４ａ）…をさらに分岐し、一方の分岐ホースに大気中に開閉する弁（１５ａ）…を、他方の分岐ホースをエアポンプにそれぞれ接続し、これら３本の枠材（４ａ）…を、その通孔（８ａ）…を下に向けて、３対の案内溝材（５ａ）（５ａ）、（５ａ）（５ａ）、（５ａ）（５ａ）にそれぞれ両端部を摺動自在かつ回転自在に係合保持させ、そして中央の枠材（４ａ）と、左右両側の枠材（４ａ）、（４ａ）との間に、通常定植パネルの１／２幅の多数枚の定植パネル（３ａ）…、（３ａ）…を連結してある。
【００２１】
上記パネルの連結構造は、本例では各枠材（４ａ）…の上面に突設されたブラケット（１６ａ）…、（１６ａ）…、（１６ａ）…に定植パネル（３ａ）…、（３ａ）の各両端部をピン（１７ａ）…により回転自在に連結してある。
【００２２】
本例によれば、各枠材（４ａ）…の収納室（４ａ’）…内に空気が充満して浮上している図示の状態において、まず中央枠材（４ａ）の弁（１５ａ）のみを開くと、その収納室（４ａ’）内の空気が排出され、代って培養液が流入し、収納室（４ａ’）が液で満杯になると、中央重錘枠材（４ａ）が左右の植物定植パネル（３ａ）…、（３ａ）…の各内側端部を引きこみながら沈下していき、それにより左右の定植パネル群は図３仮想線で示すように傾斜して引きこまれるから、液の抵抗が少なく、容易に液中に入っていく。中央枠材（４ａ）の沈下開始に続いて左右の枠材（４ａ）、（４ａ）の弁（１５ａ）、（１５ａ）を開くと、その収納室（４ａ’）、（４ａ’）から空気の排出と同時に液の流入があり、液が充満すると枠材（４ａ）、（４ａ）が遅れて沈下を開始し、各枠材（４ａ）…がストッパー（１３ａ）…に当接したとき、各定植パネル（３ａ）…、（３ａ）…が水平状態の最低沈下位置に至り、所期の害虫駆除浸漬を行う。
【００２３】
上記各弁（１５ａ）…を閉じ、エアポンプにより各枠材の収納室（４ａ’）…内に空気を圧入し、それに伴って室（４ａ’）…内の液を押し出していき、各収納室（４ａ’）…内に空気が満杯になると、各枠材（４ａ）…が植物定植パネル（３ａ）…、（３ａ）…を伴って全体水平状態で浮上する。
【００２４】
【発明の効果】
本発明の植物定植パネルの害虫駆除用浮沈装置によれば、従来装置と比較して構造が簡単で安価に提供することが可能となり、しかも植物定植パネルを確実に浮沈させることができるのである。
【図面の簡単な説明】
【図１】本発明による植物定植パネル浮沈装置を備えた水耕栽培装置の横断面図である。
【図２】図１のＩＩ−ＩＩ線断面図である。
【図３】他の実施例の横断面図である。
【符号の説明】
１、１ａ  水耕栽培槽
２、２ａ  培養液
３、３ａ  定植パネル
４、４ａ  重錘枠材
４’、４’ａ  流体収納室
８  溝開口
８ａ  通孔
９、９ａ  通孔
【図１】
2004305065.tif 000003
【図２】
2004305065.tif 000004
【図３】
2004305065.tif 000005